(57)【要約】【課題】プラテンに記録媒体を載置するときに容易にグリットローラの位置を把握する。【解決手段】プリンタ１０は、記録媒体５が載置されるプラテン１５と、プラテン１５に載置された記録媒体５にインクを吐出するノズルを有し、主走査方向Ｙに移動可能なインクヘッド２４と、副走査方向Ｘにおいてプラテン１５より上流側に配置され、上面７０Ａが副走査方向Ｘの下流側から上流側に向けて斜め下方に傾き、記録媒体５を案内する上流側ガイド部材７０と、プラテン１５に設けられ、プラテン１５に載置された記録媒体５を副走査方向Ｘに移動させるグリットローラ３６と、を備え、上流側ガイド部材７０は、上流側ガイド部材７０の上面７０Ａから凹むように形成され、グリットローラ３６の主走査方向Ｙの位置を示す凹部８０を備えている。【選択図】図６
2020116872.tif 000002
【特許請求の範囲】
【請求項１】
記録媒体が載置されるプラテンと、
前記プラテンに載置された前記記録媒体にインクを吐出するノズルを有し、主走査方向に移動可能なインクヘッドと、
前記主走査方向と直交する副走査方向において前記プラテンより上流側に配置され、上面が前記副走査方向の下流側から上流側に向けて斜め下方に傾き、前記記録媒体を案内するガイド部材と、
前記プラテンに設けられ、前記プラテンに載置された前記記録媒体を前記副走査方向に移動させるグリットローラと、を備え、
前記ガイド部材は、前記ガイド部材の前記上面から凹むように形成され、前記グリットローラの前記主走査方向の位置を示す凹部を備えている、インクジェットプリンタ。
【請求項２】
前記凹部は、前記グリットローラの前記主走査方向の一端側の第１位置を示す第１凹部と、前記グリットローラの前記主走査方向の他端側の第２位置を示す第２凹部とを含む、請求項１に記載のインクジェットプリンタ。
【請求項３】
前記第１凹部は、前記グリットローラの前記主走査方向の前記一端より前記他端側に位置し、
前記第２凹部は、前記グリットローラの前記主走査方向の前記他端より前記一端側に位置する、請求項２に記載のインクジェットプリンタ。
【請求項４】
前記第１凹部および前記第２凹部は、三角形状に形成され、
前記第１凹部の一の頂点は、前記第２凹部の一の頂点と対向する、請求項２または３に記載のインクジェットプリンタ。
【請求項５】
前記グリットローラの上方に配置され、前記グリットローラとの間に前記記録媒体を挟むピンチローラと、
前記ピンチローラを保持する保持シャフトと、
前記ピンチローラを前記グリットローラに対して接近および離反させるように前記保持シャフトを回転させるレバーと、を備え、
前記第１凹部および前記第２凹部は、前記副走査方向の上流側から見たときに、前記レバーより上方に位置する、請求項２から４のいずれか一項に記載のインクジェットプリンタ。
【請求項６】
請求項１から５のいずれか一項に記載のインクジェットプリンタと、
前記主走査方向に移動可能であり、前記プラテンに載置された前記記録媒体を切断するカッターを有するカッティングヘッドと、を備えている、カッティングヘッド付きインクジェットプリンタ。
【発明の詳細な説明】
【技術分野】
【０００１】
本発明は、インクジェットプリンタに関する。
【背景技術】
【０００２】
従来から、記録媒体を載置するプラテンと、プラテンに載置された記録媒体にインクを吐出するインクヘッドと、記録媒体を搬送するグリットローラと、を備えたインクジェットプリンタ（以下単にプリンタと称する場合がある）が知られている。比較的大きいサイズの記録媒体を用いるプリンタでは、印刷を行う前に、作業者は予め記録媒体をプラテンに載置する必要がある。記録媒体が適切な位置に載置されていない場合には、グリットローラによって記録媒体を適切に移動させることができない虞がある。このため、作業者は、記録媒体をプラテンに慎重に載置する必要がある。
【０００３】
例えば、特許文献１には、記録媒体の前端および側端の位置合わせのためのマークが設けられたプリンタが開示されている。かかるプリンタによれば、記録媒体の先端および右側端をマークに合わせることによって、記録媒体の斜行を抑制することができる。
【先行技術文献】
【特許文献】
【０００４】
【特許文献１】特開２００２−２５４７３７号公報
【発明の概要】
【発明が解決しようとする課題】
【０００５】
ところで、比較的大型のプリンタでは、記録媒体をプリンタの後方からプラテンに載置する場合がある。ここで、プラテンに記録媒体を載置するとき、グリットローラ上に記録媒体を載置させる必要がある。しかしながら、プリンタによっては、インクヘッドが搭載されるキャリッジの安定性および安全性を確保する観点から、プラテンとキャリッジを保持する部材との間隙（クリアランス）を狭くする必要があり、プリンタの後方からグリットローラの位置を確認することが困難な場合がある。このため、作業者は経験と勘によってグリットローラの位置を推測してプラテンに記録媒体を載置していた。なお、記録媒体の大きさが一定の場合には、特許文献１に示すように、記録媒体の側端をマークに合わせればよい。しかしながら、記録媒体のサイズは複数あるため、単に記録媒体の側端をマークに合わせるだけでは、記録媒体が適切にグリットローラ上に載置されない場合がある。
【０００６】
本発明はかかる点に鑑みてなされたものであり、その目的は、プラテンに記録媒体を載置するときに容易にグリットローラの位置を把握することができるプリンタを提供することである。
【課題を解決するための手段】
【０００７】
本発明に係るプリンタは、記録媒体が載置され、上面が平坦状に形成されたプラテンと、前記プラテンに載置された前記記録媒体にインクを吐出するノズルを有し、主走査方向に移動可能なインクヘッドと、前記主走査方向と直交する副走査方向において前記プラテンより上流側に配置され、上面が前記副走査方向の下流側から上流側に向けて斜め下方に傾き、前記記録媒体を案内するガイド部材と、前記プラテンに設けられ、前記プラテンに載置された前記記録媒体を前記副走査方向に移動させるグリットローラと、を備え、前記ガイド部材は、前記ガイド部材の前記上面から凹むように形成され、前記グリットローラの前記主走査方向の位置を示す凹部を備えている。
【０００８】
本発明のプリンタによると、副走査方向においてプラテンより上流側に配置されたガイド部材の上面には、凹部が形成されている。ここで、凹部は、グリットローラの主走査方向の位置を示すため、グリットローラの位置を直接視認できない場合であっても、作業者は凹部の位置を確認することによって容易にグリットローラの位置を認識することができる。これにより、作業者は、グリットローラ上に記録媒体を確実に載置することができる。また、凹部はガイド部材の上面から凹むように形成されているため、記録媒体がガイド部材の上面を副走査方向の上流側から下流側に移動する場合や副走査方向の下流側から上流側に移動する場合において、記録媒体の前端や後端が凹部に引っかかることがなく、記録媒体のスムーズな移動を妨げることがない。
【発明の効果】
【０００９】
本発明によれば、プラテンに記録媒体を載置するときに容易にグリットローラの位置を把握することができるプリンタを提供することができる。
【図面の簡単な説明】
【００１０】
【図１】一実施形態に係るプリンタの正面図である。
【図２】一実施形態に係るプリンタの一部を示す正面図である。
【図３】一実施形態に係るプリンタの側面図である。
【図４】一実施形態に係るプリンタの背面図である。
【図５】一実施形態に係るプリンタの一部を示す断面図である。
【図６】一実施形態に係るプリンタの一部を拡大した背面図である。
【図７】一実施形態に係る上流側ガイドの一部を拡大した背面図である。
【図８】図７中のＶＩＩＩ−ＶＩＩＩ線に沿う断面図である。
【発明を実施するための形態】
【００１１】
以下、図面を参照しながら、一実施形態に係るプリンタについて説明する。本実施形態に係るプリンタは、記録媒体５に対して印刷および切断（カッティング）が可能なカッティングヘッド付きインクジェットプリンタ１０（以下、プリンタ１０とする。）である。なお、ここで説明される実施形態は、当然ながら特に本発明を限定することを意図したものではない。また、同じ作用を奏する部材、部位には同じ符号を付し、重複する説明は適宜省略または簡略化する。
【００１２】
以下の説明では、左、右、上、下とは、プリンタ１０の正面にいる作業者から見た左、右、上、下をそれぞれ意味することとする。また、プリンタ１０から上記作業者に近づく方を前方、遠ざかる方を後方とする。図面中の符号Ｆ、Ｒｒ、Ｌ、Ｒ、Ｕ、Ｄは、それぞれ前、後、左、右、上、下を表す。図面中の符号Ｙは主走査方向を表す。本実施形態では、主走査方向Ｙは、左右方向である。図面中の符号Ｘは副走査方向を表す。副走査方向Ｘは主走査方向Ｙと交差する方向（例えば、平面視で垂直に交差する方向）である。本実施形態では、副走査方向Ｘは前後方向である。また、プリンタ１０の後側を上流側と称し、プリンタ１０の前側を下流側と称する。ただし、上記方向は便宜的に定めたものに過ぎず、限定的に解釈すべきものではない。
【００１３】
記録媒体５は、例えば、長尺に形成され、ロール状に巻かれて用いられる。なお、記録媒体５は、ロール状に巻かれたものが所定の長さに切断されたシート状のものであってもよい。記録媒体５は、例えば、記録紙である。ただし、記録媒体５は、記録紙に限定されない。例えば、記録媒体５には、ポリ塩化ビニル（ＰＶＣ）、ポリエステルなどの樹脂材料から形成されたシート、台紙と台紙上に積層されかつ粘着剤が塗布された剥離紙とからなるシール材、アルミや鉄等から形成された金属板、ガラス板、木材板等が含まれる。本明細書において「切断」、「カッティング」とは、記録媒体５の厚み方向の全体を切断する場合（例えば、シール材の台紙および剥離紙の両方を切断する場合）と、記録媒体５の厚み方向の一部を切断する場合（例えば、シール材の台紙は切断せず、剥離紙のみを切断する場合）とが含まれる。
【００１４】
図１に示すように、プリンタ１０は、ベース部材４０と、記録媒体５が載置されるプラテン１５と、本体ケース５０と、右脚部１６Ｒと、左脚部１６Ｌと、インクヘッドユニット２０（図２も参照）と、カッティングヘッドユニット２５（図２も参照）と、を備えている。右脚部１６Ｒおよび左脚部１６Ｌは、ベース部材４０の下部に取り付けられている。右脚部１６Ｒおよび左脚部１６Ｌは、ベース部材４０を支持する。ベース部材４０は、主走査方向Ｙに延びる。
【００１５】
図１に示すように、本体ケース５０は、ベース部材４０に取り付けられている。本体ケース５０は、上壁５１（図３参照）と、前壁５２と、左前壁５３Ｌと、右前壁５３Ｒと、左前カバー５４Ｌと、右前カバー５４Ｒと、左側壁５５Ｌと、右側壁５５Ｒ（図３も参照）と、後壁５６（図３参照）とを備えている。
【００１６】
上壁５１は、主走査方向Ｙに延びる。図３に示すように、上壁５１は、ベース部材４０の上方に位置する。上壁５１は、インクヘッドユニット２０より上方に配置されている。上壁５１は、副走査方向Ｘの上流側から下流側に向けて上方に行くように傾斜している。即ち、上壁５１は、後方から前方に行くほど上方に行くように傾斜している。前壁５２は、上壁５１の前端から前斜め下方に延びる。前壁５２は、主走査方向Ｙに延びる。
【００１７】
図１に示すように、左前壁５３Ｌは、前壁５２の左端領域の前端から前斜め下方に延びる。右前壁５３Ｒは、前壁５２の右端領域の前端から前斜め下方に延びる。右前壁５３Ｒは、右前壁５３Ｒの後端を中心に開閉可能に構成されている。右前壁５３Ｒを開くことによって、操作パネル（図示せず）が外部に露出する。
【００１８】
図１に示すように、左前カバー５４Ｌは、左前壁５３Ｌの前端から下方に延びる。左前カバー５４Ｌは、左前壁５３Ｌの前端を中心に開閉可能に構成されている。左前カバー５４Ｌは、プラテン１５より左方に配置されている。右前カバー５４Ｒは、右前壁５３Ｒの前端から下方に延びる。右前カバー５４Ｒは、右前壁５３Ｒの前端を中心に開閉可能に構成されている。右前カバー５４Ｒは、プラテン１５より右方に配置されている。
【００１９】
図１に示すように、左側壁５５Ｌは、上壁５１の左端、前壁５２の左端、左前壁５３Ｌの左端、左前カバー５４Ｌの左端および後壁５６の左端を接続する。右側壁５５Ｒは、上壁５１の右端、前壁５２の右端、右前壁５３Ｒの右端、右前カバー５４Ｒの右端および後壁５６の右端を接続する。
【００２０】
図４に示すように、後壁５６は、上後壁５６Ａと、左下後壁５６Ｂと、右下後壁５６Ｃと、上後中央壁５６Ｄと、下後中央壁５６Ｅとを備えている。上後壁５６Ａは、上壁５１の後端の下方に配置されている。左下後壁５６Ｂは、上後壁５６Ａの左部分の下方に配置されている。左下後壁５６Ｂは、左前カバー５４Ｌ（図１参照）と対向する位置に配置されている。右下後壁５６Ｃは、上後壁５６Ａの右部分の下方に配置されている。右下後壁５６Ｃは、右前カバー５４Ｒ（図１参照）と対向する位置に配置されている。上後中央壁５６Ｄは、上後壁５６Ａの中央部分の下端から下方に延びる。下後中央壁５６Ｅは、上後中央壁５６Ｄの下方に配置されている。上後中央壁５６Ｄおよび下後中央壁５６Ｅは、左下後壁５６Ｂと右下後壁５６Ｃとの間に配置されている。上後中央壁５６Ｄおよび下後中央壁５６Ｅは、プラテン１５の上方に配置されている。下後中央壁５６Ｅとプラテン１５との間には、記録媒体５が通過可能な間隙５８（図２も参照）が形成されている。
【００２１】
図１に示すように、プリンタ１０は、フロントカバー６０を備えている。フロントカバー６０は、前壁５２の前端を中心に回動可能に設けられている。フロントカバー６０は、フレーム部材６２と、カバー部材６４とを備えている。フレーム部材６２は、フロントカバー６０を本体ケース５０に対して回動可能に支持する部材である。フレーム部材６２は、本体ケース５０の開口幅に対応して主走査方向Ｙに延びる。フレーム部材６２は、金属材料から形成されている。カバー部材６４は、本体ケース５０とプラテン１５との間に形成された開口５８（図２参照）を開閉するための部材である。カバー部材６４は、フレーム部材６２から下方に延びる。カバー部材６４は、光を透過することが可能な材料であれば、特に限定されない。本実施形態では、カバー部材６４は、透明なアクリル樹脂で形成されている。カバー部材６４を通して、作業者は印刷状態や切断状態等を確認することができる。カバー部材６４には、取っ手６４Ｈが設けられている。作業者が取っ手６４Ｈを前方に引き上げることによって、フロントカバー６０が開く。
【００２２】
図２に示すように、プリンタ１０は、主走査方向Ｙおよび上下方向に延びる中央壁１７を備えている。中央壁１７は、ベース部材４０に支持されている。中央壁１７は、プラテン１５の上方に配置されている。中央壁１７とプラテン１５との間には、記録媒体５が通過可能な間隙５８が形成されている。中央壁１７は、本体ケース５０に収容されている。
【００２３】
図２に示すように、プリンタ１０は、ガイドレール１８を備えている。ガイドレール１８は、主走査方向Ｙに延びる。ガイドレール１８は、中央壁１７に設けられている。ガイドレール１８は、プラテン１５の上方に配置されている。
【００２４】
図２に示すように、インクヘッドユニット２０は、ベース部材４０に設けられている。インクヘッドユニット２０は、本体ケース５０の内方に配置されている。インクヘッドユニット２０は、プラテン１５より上方に配置されている。図５に示すように、インクヘッドユニット２０は、キャリッジ２２と、インクヘッド２４とを備えている。キャリッジ２２は、ガイドレール１８に係合している。キャリッジ２２は、ガイドレール１８に沿って主走査方向Ｙに移動可能に構成されている。インクヘッド２４は、プラテン１５に載置された記録媒体５にインクを吐出するノズル（図示せず）を有する。インクヘッド２４は、記録媒体５に所定の画像を印刷する。インクヘッド２４は、キャリッジ２２に搭載されている。インクヘッド２４は、キャリッジ２２の移動に伴って、主走査方向Ｙに移動可能に構成されている。
【００２５】
図２に示すように、カッティングヘッドユニット２５は、ベース部材４０に設けられている。カッティングヘッドユニット２５は、本体ケース５０の内方に配置されている。カッティングヘッドユニット２５は、プラテン１５より上方に配置されている。カッティングヘッドユニット２５は、インクヘッドユニット２０の左方に配置されている。図２に示すように、カッティングヘッドユニット２５は、キャリッジ２７と、カッター（図示せず）を有するカッティングヘッド２９とを備えている。キャリッジ２７は、ガイドレール１８に係合している。キャリッジ２７は、ガイドレール１８に沿って主走査方向Ｙに移動可能に構成されている。カッターは、プラテン１５に載置された記録媒体５を切断する。カッティングヘッド２９は、キャリッジ２７に搭載されている。カッティングヘッド２９は、キャリッジ２７の移動に伴って、主走査方向Ｙに移動可能に構成されている。本実施形態では、インクヘッドユニット２０のキャリッジ２２とカッティングヘッドユニット２５のキャリッジ２７とは一体となって移動可能に構成されている。また、キャリッジ２７は、キャリッジ２２から独立して単独で移動可能に構成されている。
【００２６】
図２に示すように、プリンタ１０は、キャリッジ移動機構３０を備えている。キャリッジ移動機構３０は、プラテン１５に載置された記録媒体５に対してインクヘッドユニット２０のキャリッジ２２およびカッティングヘッドユニット２５のキャリッジ２７を相対的に主走査方向Ｙに移動させる機構である。キャリッジ移動機構３０は、キャリッジ２２およびキャリッジ２７を主走査方向Ｙに移動させる。なお、キャリッジ移動機構３０の構成は特に限定されない。キャリッジ移動機構３０は、第１プーリ３１と、第２プーリ３２と、無端状のベルト３３と、キャリッジモータ３４とを備えている。第１プーリ３１は、ガイドレール１８の左端側に設けられている。第２プーリ３２は、ガイドレール１８の右端側に設けられている。ベルト３３は、第１プーリ３１と第２プーリ３２とに巻き掛けられている。ベルト３３は、キャリッジ２７の背面上部に固定されている。第２プーリ３２には、キャリッジモータ３４が接続されている。ただし、キャリッジモータ３４は、第１プーリ３１に接続されていてもよい。ここでは、キャリッジモータ３４が駆動して、第２プーリ３２が回転することで、第１プーリ３１と第２プーリ３２との間においてベルト３３が走行する。これにより、キャリッジ２２およびキャリッジ２７は主走査方向Ｙに移動する。
【００２７】
図２に示すように、プリンタ１０は、媒体移動機構３５を備えている。媒体移動機構３５は、プラテン１５に載置された記録媒体５をインクヘッドユニット２０およびカッティングヘッドユニット２５に対して副走査方向Ｘに相対的に移動させるものである。媒体移動機構３５は、プラテン１５に載置された記録媒体５を副走査方向Ｘに移動させる。媒体移動機構３５は、複数のグリットローラ３６と、複数のピンチローラ３７と、保持シャフト３８と、を備えている。
【００２８】
図２に示すように、グリットローラ３６は、プラテン１５に設けられている。グリットローラ３６は、グリットローラ３６の上部が外部に露出するようにプラテン１５に埋設されている。グリットローラ３６は、主走査方向Ｙに並列している。グリットローラ３６は、ピンチローラ３７の下方に配置されている。グリットローラ３６は、ピンチローラ３７との間に記録媒体５を挟み込む。グリットローラ３６とピンチローラ３７との間に記録媒体５が挟まれた状態で、グリットローラ３６に接続されたフィードモータ（図示せず）が駆動してグリットローラ３６が回転すると、記録媒体５は副走査方向Ｘに搬送される。
【００２９】
図２に示すように、ピンチローラ３７は、プラテン１５より上方に配置されている。ピンチローラ３７は、ガイドレール１８より下方に配置されている。ピンチローラ３７は、グリットローラ３６と対向する位置に配置されている。ピンチローラ３７は、プラテン１５に載置された記録媒体５を上から押さえる。
【００３０】
図２に示すように、保持シャフト３８は、主走査方向Ｙに延びる。保持シャフト３８は、ピンチローラ３７を保持する。保持シャフト３８が軸周りに回転することによって、ピンチローラ３７をグリットローラ３６に接近させたり、グリットローラ３６から離反させたりすることができる。保持シャフト３８は、プラテン１５より上方に配置されている。保持シャフト３８は、ベース部材４０に回転可能に支持されている。
【００３１】
図１に示すように、プリンタ１０は、ローディングレバー４５を備えている。ローディングレバー４５は、作業者によって手動で操作される。ローディングレバー４５は、ピンチローラ３７（図２参照）をグリットローラ３６（図２参照）に対して接近および離反させるように保持シャフト３８（図２参照）を回転させる。ローディングレバー４５は、ベース部材４０に設けられている。ローディングレバー４５は、第１ローディングレバー４６と、第２ローディングレバー４７（図３参照）とを備えている。第１ローディングレバー４６および第２ローディングレバー４７は、保持シャフト３８と接続されたリンク機構（図示せず）によって連結されている。第２ローディングレバー４７は、レバーの一例である。
【００３２】
図２に示すように、第１ローディングレバー４６は、プラテン１５より前方に設けられている。第１ローディングレバー４６は、プラテン１５の右方かつ右前カバー５４Ｒの左方に設けられている。例えば、第１ローディングレバー４６を第１基準位置から第１固定位置まで押し下げることによって保持シャフト３８が回転して、ピンチローラ３７がグリットローラ３６に接近する。また、第１ローディングレバー４６を第１固定位置から第１基準位置まで押し上げることによって保持シャフト３８が回転して、ピンチローラ３７がグリットローラ３６から離反する。
【００３３】
図４に示すように、第２ローディングレバー４７は、プラテン１５より後方に設けられている。第２ローディングレバー４７は、プラテン１５の右方かつ右下後壁５６Ｃの左方に設けられている。例えば、第２ローディングレバー４７を第２基準位置から第２固定位置まで押し下げることによって保持シャフト３８が回転して、ピンチローラ３７がグリットローラ３６に接近する。また、第２ローディングレバー４７を第２固定位置から第２基準位置まで押し上げることによって保持シャフト３８が回転して、ピンチローラ３７がグリットローラ３６から離反する。
【００３４】
図４に示すように、プリンタ１０は、ロール状に巻かれた記録媒体５を回転可能に保持する第１ホルダー９５および第２ホルダー９６を備えている。第１ホルダー９５は、第２ホルダー９６の左方に配置されている。第１ホルダー９５および第２ホルダー９６は、プラテン１５より後方に配置されている。第１ホルダー９５および第２ホルダー９６は、本体ケース５０より下方に配置されている。第１ホルダー９５および第２ホルダー９６は、主走査方向Ｙに延びるスライドバー９７にスライド自在に設けられている。第１ホルダー９５および第２ホルダー９６は、スライドバー９７に沿って主走査方向Ｙの位置を変更することができる。スライドバー９７は、左脚部１６Ｌおよび右脚部１６Ｒに支持されている。なお、図２では、第１ホルダー９５および第２ホルダー９６の図示を省略している。
【００３５】
図２に示すように、プラテン１５は、記録媒体５への印刷の際、記録媒体５を支持するものである。プラテン１５には、記録媒体５が載置される。プラテン１５は、主走査方向Ｙおよび副走査方向Ｘに延びる。プラテン１５の主走査方向Ｙの長さは、副走査方向Ｘの長さより長い。プラテン１５は、ベース部材４０に設けられている。プラテン１５は、ベース部材４０の中央部に設けられている。図５に示すように、プラテン１５は、上面１５Ｈが平坦状に形成されている。上面１５Ｈは、記録媒体５が載置される載置面である。上面１５Ｈは、記録媒体５の移動経路の一部である。
【００３６】
図５に示すように、プラテン１５は、上面１５Ｈを上下方向に貫通する複数の吸着孔１５Ａを有している。吸着孔１５Ａは、グリットローラ３６より副走査方向Ｘの下流側に配置されている。吸着孔１５Ａからは、後述するファン１５Ｂの駆動によって空気が吸い込まれる。ファン１５Ｂが駆動することによって、プラテン１５の内部空間１５Ｃに負圧が発生する。記録媒体５は、内部空間１５Ｃに発生した負圧によって吸着孔１５Ａに吸着される。吸着孔１５Ａは、記録媒体５を吸着するための孔である。
【００３７】
図５に示すように、ファン１５Ｂは、プラテン１５の下方に配置されている。ファン１５Ｂは、吸着孔１５Ａを介して空気を吸引する吸引孔１５ＢＡと、吸引孔１５ＢＡから吸引された空気を排出する排出孔１５ＢＢとを有している。吸引孔１５ＢＡは、上方に向けて開口している。排出孔１５ＢＢは、副走査方向Ｘの下流側（ここでは後方）に向けて開口している。排出孔１５ＢＢは、上流側ガイド部材７０に向けて開口している。ファン１５Ｂが駆動することによって、図５の矢印Ｆ１に示すように、吸着孔１５Ａおよび吸引孔１５ＢＡを介してファン１５Ｂに空気が吸引される。そして、図５の矢印Ｆ２に示すように、ファン１５Ｂの排出孔１５ＢＢから排出された空気は、上流側ガイド部材７０に向けて流れる。その後、図５の矢印Ｆ３に示すように、上流側ガイド部材７０に形成された後述する排気口７８を介して空気がプリンタ１０の外部へと排出される。なお、排出された空気の先には記録媒体５が位置しないため、記録媒体５が浮き上がる等の問題は生じない。
【００３８】
図５に示すように、プリンタ１０は、上流側ガイド部材７０を備えている。上流側ガイド部材７０は、ガイド部材の一例である。上流側ガイド部材７０は、副走査方向Ｘにおいてプラテン１５より上流側（ここでは後方）に配置されている。上流側ガイド部材７０は、ベース部材４０に支持されている。上流側ガイド部材７０は、記録媒体５が上流側から下流側に移動するときには、記録媒体５をプラテン１５に案内する。上流側ガイド部材７０は、記録媒体５が下流側から上流側に移動するときには、プラテン１５から案内された記録媒体５を案内する。
【００３９】
図５に示すように、上流側ガイド部材７０の上面７０Ａは、副走査方向Ｘの下流側から上流側に向けて斜め下方に傾いている。上面７０Ａは、主走査方向Ｙから見て略円弧状に形成されている。上流側ガイド部材７０は、プラテン１５の後端１５Ｒに接続された第１部分７１と、第１部分７１の下端から前斜め下方に延びる第２部分７２と、第２部分７２の下端から下方に延びる第３部分７３と、第３部分７３の下端から前方に延びる第４部分７４と、を備えている。第１部分７１は、副走査方向Ｘの下流側から上流側に向けて斜め下方に延びる。第２部分７２は、副走査方向Ｘの上流側から下流側に向けて斜め下方に延びる。第４部分７４は、副走査方向Ｘに延びる。第１部分７１は、記録媒体５を案内する。第１部分７１は、記録媒体５の移動経路の一部である。第４部分７４の前端は、ベース部材４０に接続している。上流側ガイド部材７０は、第４部分７４を上下方向に貫通する排気口７８を有している。
【００４０】
図６に示すように、上流側ガイド部材７０は、複数の凹部８０を備えている。凹部８０は、グリットローラ３６毎に設けられている。例えば、グリットローラ３６が、８個の場合には、各グリットローラ３６に対して凹部８０が設けられている。図８に示すように、凹部８０は、上流側ガイド部材７０の上面７０Ａから凹むように形成されている。凹部８０は、上面７０Ａから前斜め下方に向けて凹んでいる。凹部８０は、上流側ガイド部材７０の第１部分７１に形成されている。凹部８０は、例えば、上流側ガイド部材７０にプレス加工を施すことによって形成される。
【００４１】
図６に示すように、凹部８０は、グリットローラ３６の主走査方向Ｙの位置を示す。即ち、凹部８０の副走査方向Ｘの下流側にはグリットローラ３６が位置する。凹部８０は、第１凹部８１と第２凹部８２とを含む。第１凹部８１は、例えば、グリットローラ３６の一端（ここでは右端３６Ｒ）より他端側（ここでは左端３６Ｌ側）に位置する。第１凹部８１は、例えば、グリットローラ３６の主走査方向Ｙの中心３６Ｃより右方に位置する。第１凹部８１は、グリットローラ３６の主走査方向Ｙの一端側（ここでは右端３６Ｒ側）の第１位置を示す。即ち、第１凹部８１の副走査方向Ｘの下流側にはグリットローラ３６が位置する。第１位置は、例えば、グリットローラ３６の右端３６Ｒから左方に所定の距離（例えば５ｍｍ〜２０ｍｍ程度）だけ離れた位置である。なお、第１位置は、グリットローラ３６の右端３６Ｒであってもよい。第２凹部８２は、例えば、グリットローラ３６の他端（ここでは左端３６Ｌ）より一端側（ここでは右端３６Ｒ側）に位置する。第２凹部８２は、例えば、グリットローラ３６の主走査方向Ｙの中心３６Ｃより左方に位置する。第２凹部８２は、グリットローラ３６の主走査方向Ｙの他端側（ここでは左端３６Ｌ側）の第２位置を示す。即ち、第２凹部８２の副走査方向Ｘの下流側にはグリットローラ３６が位置する。第２位置は、例えば、グリットローラ３６の左端３６Ｌから右方に所定の距離（例えば５ｍｍ〜２０ｍｍ程度）だけ離れた位置である。なお、第２位置は、グリットローラ３６の左端３６Ｌであってもよい。
【００４２】
図７に示すように、第１凹部８１および第２凹部８２は、三角形状に形成されている。第１凹部８１の頂点８１Ａを通る三角形状の第１凹部８１の垂線は、主走査方向Ｙと平行である。第２凹部８２の頂点８２Ａを通る三角形状の第２凹部８２の垂線は、主走査方向Ｙと平行である。第１凹部８１の頂点８１Ａは、第２凹部８２の頂点８２Ａと対向する。即ち、第１凹部８１の垂線と第２凹部８２の垂線とは重なる。例えば、第１凹部８１の頂点８１Ａは、グリットローラ３６に対して記録媒体５を載置可能な始点を示し得る。また、第２凹部８２の頂点８２Ａは、グリットローラ３６に対して記録媒体５を載置可能な終点を示し得る。第１凹部８１および第２凹部８２は、副走査方向Ｘの上流側から見たとき（即ちプリンタ１０を後方から見たとき）に、第２ローディングレバー４７より上方に位置する。第１凹部８１および第２凹部８２は、副走査方向Ｘの上流側から見たときに、グリットローラ３６より下方に位置する。
【００４３】
図５に示すように、プリンタ１０は、下流側ガイド部材９０を備えている。下流側ガイド部材９０は、副走査方向Ｘにおいてプラテン１５より下流側（ここでは前方）に配置されている。下流側ガイド部材９０は、ベース部材４０に支持されている。下流側ガイド部材９０は、記録媒体５が下流側から上流側に移動するときには、記録媒体５をプラテン１５に案内する。下流側ガイド部材９０は、記録媒体５が上流側から下流側に移動するときには、プラテン１５から案内された記録媒体５を案内する。
【００４４】
図５に示すように、下流側ガイド部材９０の上面９０Ａは、副走査方向Ｘの上流側から下流側に向けて斜め下方に傾いている。上面９０Ａは、主走査方向Ｙから見て略円弧状に形成されている。下流側ガイド部材９０は、プラテン１５の前端１５Ｆに接続された第１部分９１と、第１部分９１の下端から後斜め下方に延びる第２部分９２とを備えている。第１部分９１は、副走査方向Ｘの上流側から下流側に向けて斜め下方に延びる。第２部分９２は、副走査方向Ｘの下流側から上流側に向けて斜め下方に延びる。第１部分９１は、記録媒体５を案内する。第１部分９１は、記録媒体５の移動経路の一部である。第２部分９２の下端は、ベース部材４０に接続している。
【００４５】
以上のように、本実施形態のプリンタ１０によると、副走査方向Ｘにおいてプラテン１５より上流側に配置された上流側ガイド部材７０の上面７０Ａには、凹部８０が形成されている。ここで、凹部８０は、グリットローラ３６の主走査方向Ｙの位置を示すため、プリンタ１０の後方からグリットローラ３６の位置を直接視認できない場合であっても、作業者は凹部８０の位置を確認することによって容易にグリットローラ３６の位置を認識することができる。これにより、作業者は、グリットローラ３６上に記録媒体５を確実に載置することができる。また、凹部８０は上流側ガイド部材７０の上面７０Ａから凹むように形成されているため、記録媒体５が上流側ガイド部材７０の上面７０Ａを副走査方向Ｘの上流側から下流側に移動する場合や副走査方向Ｘの下流側から上流側に移動する場合において、記録媒体５の前端や後端が凹部８０に引っかかることがなく、記録媒体５のスムーズな移動を妨げることがない。
【００４６】
本実施形態のプリンタ１０によると、凹部８０は、グリットローラ３６の主走査方向Ｙの右端３６Ｒ側の第１位置を示す第１凹部８１と、グリットローラ３６の主走査方向Ｙの左端３６Ｌ側の第２位置を示す第２凹部８２とを含む。これにより、グリットローラ３６の位置がより明確となるため、第１凹部８１および第２凹部８２の位置に基づいて、作業者はグリットローラ３６上に記録媒体５を確実に載置することができる。
【００４７】
本実施形態のプリンタ１０によると、第１凹部８１は、グリットローラ３６の主走査方向Ｙの右端３６Ｒより左端３６Ｌ側に位置し、第２凹部８２は、グリットローラ３６の主走査方向Ｙの左端３６Ｌより右端３６Ｒ側に位置する。例えば、グリットローラ３６において、記録媒体５の主走査方向Ｙの端部を載置するのにより好適な部分（例えば記録媒体５に対するグリップ力がより高い等）がある場合には、該部分の両端付近に第１凹部８１および第２凹部８２を形成することによって、作業者はグリットローラ３６上の好適な位置に記録媒体５の端部を載置することができる。
【００４８】
本実施形態のプリンタ１０によると、第１凹部８１および第２凹部８２は、三角形状に形成され、第１凹部８１の一の頂点８１Ａは、第２凹部８２の一の頂点８２Ａと対向する。これにより、作業者は、第１凹部８１の一の頂点８１Ａと第２凹部８２の一の頂点８２Ａとの間にグリットローラ３６が位置することをより容易に確認することができる。
【００４９】
本実施形態のプリンタ１０によると、第１凹部８１および第２凹部８２は、副走査方向Ｘの上流側から見たときに、第２ローディングレバー４７より上方に位置する。これにより、第１凹部８１および第２凹部８２はグリットローラ３６により近づけて配置されるため、作業者はより容易にグリットローラ３６の位置を確認することができる。
【００５０】
本実施形態のプリンタ１０によると、主走査方向Ｙに移動可能であり、プラテン１５に載置された記録媒体５を切断するカッターを有するカッティングヘッド２９を備えている。カッターによって記録媒体５を切断する場合には、インクヘッド２４によって記録媒体５に印刷する場合と比較して、記録媒体５がグリットローラ３６によって副走査方向Ｘの上流側から下流側および副走査方向Ｘの下流側から上流側に移動される回数が多い。このため、記録媒体５が副走査方向Ｘの下流側から上流側に移動されるときには、記録媒体５の後端が凹部８０に引っかかる虞がある。しかしながら、本実施形態では凹部８０は上流側ガイド部材７０の上面７０Ａから凹むように形成されているため、記録媒体５のスムーズな移動が実現される。
【００５１】
以上、本発明の好適な実施形態について説明した。しかし、上述の実施形態は例示に過ぎず、本発明は他の種々の形態で実施することができる。
【００５２】
上述した実施形態では、第１凹部８１および第２凹部８２は三角形状に形成されていたが、これに限定されない。第１凹部８１および第２凹部８２は、例えば、矢印や記号（例えば「＋」や「＜」や「＞」等）に形成されていてもよい。また、第１凹部８１および第２凹部８２は、円形状、長円形状、矩形状に形成されていてもよい。
【符号の説明】
【００５３】
５  記録媒体
１０  プリンタ
１５  プラテン
２４  インクヘッド
２７  キャリッジ
２９  カッティングヘッド
３６  グリットローラ
７０  上流側ガイド部材
７０Ａ  上面
８０  凹部
【図１】
2020116872.tif 000003
【図２】
2020116872.tif 000004
【図３】
2020116872.tif 000005
【図４】
2020116872.tif 000006
【図５】
2020116872.tif 000007
【図６】
2020116872.tif 000008
【図７】
2020116872.tif 000009
【図８】
2020116872.tif 000010
【手続補正書】
【提出日】令和1年7月4日(2019.7.4)
【手続補正１】
【補正対象書類名】特許請求の範囲
【補正対象項目名】全文
【補正方法】変更
【補正の内容】
【特許請求の範囲】
【請求項１】
記録媒体が載置されるプラテンと、
前記プラテンに載置された前記記録媒体にインクを吐出するノズルを有し、主走査方向に移動可能なインクヘッドと、
前記主走査方向と直交する副走査方向において前記プラテンより上流側に配置され、上面が前記副走査方向の下流側から上流側に向けて斜め下方に傾き、前記記録媒体を案内するガイド部材と、
前記プラテンに設けられ、前記プラテンに載置された前記記録媒体を前記副走査方向に移動させるグリットローラと、を備え、
前記ガイド部材は、前記ガイド部材の前記上面から凹むように形成されかつ前記グリットローラの前記主走査方向の一端側の第１位置を示す第１凹部と、前記ガイド部材の前記上面から凹むように形成されかつ前記グリットローラの前記主走査方向の他端側の第２位置を示す第２凹部とを備え、
前記第１凹部は、前記主走査方向に関して前記グリットローラの前記主走査方向の前記一端と前記グリットローラの前記主走査方向の中心との間に位置し、
前記第２凹部は、前記主走査方向に関して前記グリットローラの前記主走査方向の前記他端と前記グリットローラの前記主走査方向の前記中心との間に位置する、インクジェットプリンタ。
【請求項２】
前記第１凹部および前記第２凹部は、前記副走査方向の上流側から見て三角形状に形成され、
前記第１凹部の一の頂点は、前記第２凹部の一の頂点と対向する、請求項１に記載のインクジェットプリンタ。
【請求項３】
前記グリットローラの上方に配置され、前記グリットローラとの間に前記記録媒体を挟むピンチローラと、
前記ピンチローラを保持する保持シャフトと、
前記ピンチローラを前記グリットローラに対して接近および離反させるように前記保持シャフトを回転させるレバーと、を備え、
前記第１凹部および前記第２凹部は、前記副走査方向の上流側から見たときに、前記レバーより上方に位置する、請求項１または２に記載のインクジェットプリンタ。
【請求項４】
請求項１から３のいずれか一項に記載のインクジェットプリンタと、
前記主走査方向に移動可能であり、前記プラテンに載置された前記記録媒体を切断するカッターを有するカッティングヘッドと、を備えている、カッティングヘッド付きインクジェットプリンタ。